(57)【特許請求の範囲】
【請求項１】
２つのレンズの周りを囲む眼鏡リムを連結する眼鏡ブリッジに設けられた指向性マイクと、
前記眼鏡リムの左端と右端とのそれぞれに設けられた無指向性マイクと、
前記眼鏡リムに連結される左フレームと右フレームとのそれぞれに設けられたスピーカーと、
前記左フレームと前記右フレームとの一方のフレームに設けられた第１タッチセンサーと、
前記第１タッチセンサーからの信号により前記指向性マイクをオンさせて音声信号を前記スピーカーに出力させる制御回路と、
を備えることを特徴とする眼鏡型補聴器。
【請求項２】
前記制御回路は、前記第１タッチセンサーからの信号に基づき前記第１タッチセンサーをスライドするスライド量に応じて前記スピーカーの音量を調整することを特徴とする請求項１記載の眼鏡型補聴器。
【請求項３】
前記左フレームと前記右フレームとの他方のフレームに設けられた第２タッチセンサーを備え、
前記制御回路は、前記第２タッチセンサーからの信号により前記無指向性マイクをオンさせて音声信号を前記スピーカーに出力させることを特徴とする請求項１又は請求項２記載の眼鏡型補聴器。
【請求項４】
前記音声信号に含まれる周波数の内の４ｋＨｚ〜８ｋＨｚを通過させて前記スピーカに出力する帯域フィルタを備えることを特徴とする請求項１乃至請求項３のいずれか１項記載の眼鏡型補聴器。
【請求項５】
前記左フレームと前記フレームとの少なくとも一方に、所定の音圧を感知し音圧感知信号を出力するマイクを備え、
前記制御回路は、前記マイクから音圧感知信号が入力されたとき、前記制御回路のための電源をスタンバイ状態から通常状態に切り替え、前記マイクから音圧感知信号を入力されないときには前記電源を通常状態からスタンバイ状態に切り替えることを特徴とする請求項１乃至請求項４のいずれか１項記載の眼鏡型補聴器。
【請求項６】
前記左フレームと前記フレームとの少なくとも一方に、前記スピーカーを取り囲むように空洞部が形成され、前記空洞部から耳の位置に向けて穴が形成されていることを特徴とする請求項１乃至請求項５のいずれか１項記載の眼鏡型補聴器。
【発明の詳細な説明】
【技術分野】
【０００１】
本発明は、眼鏡に取り付けられ、特に、高齢者や難聴者に利用される眼鏡型補聴器に関する。
【背景技術】
【０００２】
眼鏡型補聴器としては、例えば、特許文献１に記載された眼鏡型３Ｄ補聴器が知られている。この眼鏡型３Ｄ補聴器は、マイクと補聴器の増幅調整器とイヤホーンと、フレーム内導線を一体的な構造としたものである。
【０００３】
眼鏡型３Ｄ補聴器は、指向性小型マイクを左右の眼鏡フレーム蝶番付近に固定し、マイクからの信号を眼鏡フレーム内の導線、コンセントプラグリード線により補聴器の増幅調整器に入力し、マイク感度ボリューム、音量ボリューム、音質ボリュームを配置して高齢者が操作し易い構造とし、増幅調整後の音声信号をフレーム導線から左右の耳穴に誘導して、イヤホーンにより音声を再生する。
【０００４】
これによれば、高齢者が自分で操作し易く、３Ｄ（音の方向、遠近感）の再生が可能であり、ハウリングがなく、眼鏡を掛けて長時間使用できる使い易い眼鏡型補聴器を提供することができる。
【先行技術文献】
【特許文献】
【０００５】
【特許文献１】特開２０１２−１４７４０５号公報
【発明の概要】
【発明が解決しようとする課題】
【０００６】
しかしながら、特許文献１に記載された眼鏡型３Ｄ補聴器にあっては、イヤホーンが眼鏡の外部に設けられているため、高齢者はいちいちイヤホーンを耳に付けなければ音を聞くことができず、操作が面倒であった。
【０００７】
また、指向性小型マイクを左フレームと右フレームとに設けていたため、高齢者が会話をしている人の音声以外に、周囲の音も集音していた。このため、周囲の音が増幅されて雑音となり、会話している人の音声が聞き取りにくかった。
【０００８】
本発明の課題は、操作が簡単で、見ている相手の音声を容易に聞き取ることができる眼鏡型補聴器を提供することにある。
【課題を解決するための手段】
【０００９】
上記課題を解決するために、本発明に係る眼鏡型補聴器は、２つのレンズの周りを囲む眼鏡リムを連結する眼鏡ブリッジに設けられた指向性マイクと、前記眼鏡リムの左端と右端とのそれぞれに設けられた無指向性マイクと、前記眼鏡リムに連結される左フレームと右フレームとのそれぞれに設けられたスピーカーと、前記左フレームと前記右フレームとの一方のフレームに設けられた第１タッチセンサーと、前記第１タッチセンサーからの信号により前記指向性マイクをオンさせて音声信号を前記スピーカーに出力させる制御回路とを備えることを特徴とする。さらに、制御回路には、低音障害型感音難聴が特に聞き取りにくい１２５Ｈｚから５００Ｈｚの低い音を聞こえやすくスピーカーに出力する帯域フィルタを有する。また、老人性難聴（感音難聴）で多い４０００Ｈｚ〜８０００Ｈｚの高い音を聞こえやすくスピーカーに出力する帯域フィルタを有する。
【発明の効果】
【００１０】
本発明に係る眼鏡型補聴器によれば、スピーカーを左フレームと右フレームとのそれぞれに設け、左フレームと右フレームとの一方のフレームに設けられた第１タッチセンサーをタッチするのみで、指向性マイクをオンさせて音声信号をスピーカーに出力させることができるので、操作が簡単になる。
【００１１】
また、指向性マイクを眼鏡ブリッジに設けたので、見ている相手の音声だけを指向性マイクが集音することから、見ている相手の音声を容易に聞き取ることができる。
【図面の簡単な説明】
【００１２】
【図１】本発明の実施例１に係る眼鏡型補聴器の正面図及び右フレームの構成を示す図である。
【図２】本発明の実施例１に係る眼鏡型補聴器の左フレームの構成を示す図である。
【図３】本発明の実施例１に係る眼鏡型補聴器の回路構成図である。
【図４】本発明の実施例２に係る眼鏡型補聴器のフレームに設けられた構成を示す図である。
【図５】本発明の実施例２に係る眼鏡型補聴器のフレームに設けられた構成の動作を説明するための図である。
【図６】本発明の実施例３に係る眼鏡型補聴器の電源を投入する構成を示す図である。
【図７】本発明の実施例４に係る眼鏡型補聴器の電源を投入する構成を示す図である。
【図８】本発明の実施例３，４に係る眼鏡型補聴器の回路構成図である。
【図９】本発明の実施例５に係る眼鏡型補聴器の電源を投入する構成を示す図である。
【図１０】本発明の実施例６に係る眼鏡型補聴器の構成を示す図である。
【図１１】本発明の実施例７に係る眼鏡型補聴器の構成を示す図である。
【発明を実施するための形態】
【００１３】
以下、本発明の眼鏡型補聴器の実施の形態について、図面を参照しながら詳細に説明する。
【実施例１】
【００１４】
図１（ａ）は本発明の実施例１に係る眼鏡型補聴器の正面図、図１（ｂ）は眼鏡の右フレームの構成を示す図である。眼鏡型補聴器は、眼鏡に設けられており、この眼鏡は、図１（ａ）に示すように、左右に配置された２つのレンズ１と、２つのレンズ１の周りを囲む眼鏡リム２と、眼鏡リム２を連結する眼鏡ブリッジ３と、眼鏡リム２に連結される右フレーム４ａ及び左フレーム４ｂとを備えている。眼鏡リム２と右フレーム４ａ及び左フレーム４ｂとは、図示しない蝶番で連結されている。
【００１５】
図１（ａ）に示すように、眼鏡リム２の左上端と右上端のそれぞれには極小の無指向性マイク５が設けられ、眼鏡ブリッジ３には極小の指向性マイク（指向性ガンマイク）６が設けられている。無指向性マイク５は、全方位の音を集音する。指向性マイク６は、指向性を有しており、難聴者や高齢者と会話する人の音声を集音する。
【００１６】
図１（ｂ）に示す右フレーム４ａの内の、眼鏡リム２に最も近いフレーム内には第一制御基板１０が設けられている。右フレーム４ａの内の、眼鏡リム２に次に近いフレーム内にはタッチセンサー７ａが設けられている。このタッチセンサー７ａは、図示しない導線で第一制御基板１０内のセンサー制御部１３に接続されている。
【００１７】
右フレーム４ａの略中央部には、スピーカー８ａが設けられている。このスピーカー８ａは、図示しない導線で第一制御基板１０内のアンプ（増幅器）１２に接続されている。右フレーム４ａの後端部には、リチウムポリマー電池などの電池２１（非接触型充電池）が設けられている。
【００１８】
図２に示す左フレーム４ｂの内の、眼鏡リム２に最も近いフレーム内には第一制御基板１０が設けられている。左フレーム４ｂの内の、眼鏡リム２に次に近いフレーム内にはタッチセンサー７ｂが設けられている。このタッチセンサー７ｂは、図示しない導線で第一制御基板１０内のセンサー制御部１３に接続されている。
【００１９】
左フレーム４ｂの略中央部には、スピーカー８ｂが設けられている。このスピーカー８ｂは、図示しない導線で第一制御基板１０内のアンプ（増幅器）１２に接続されている。左フレーム４ｂの後端部には、リチウムポリマー電池（非接触型充電池）などの電池２１が設けられている。
【００２０】
図３に、本発明の実施例１に係る眼鏡型補聴器の回路構成図を示す。図３に示すように、第一制御基板１０（本発明の制御回路に対応）は、マイク制御部１１、アンプ１２、センサー制御部１３、音変調部１４を備えている。バッテリ部２０は、電池２１、非接触充電制御部２２を備えている。非接触充電制御部２２は、非接触充電池からなる電池２１の充電量を制御する。
【００２１】
マイク制御部１１には無指向性マイク５と指向性マイク６とが接続され、マイク制御部１１は、センサー制御部１３からの制御信号に基づいて無指向性マイク５のオン又はオフの制御と、指向性マイク６のオン又はオフの制御とを行い、無指向性マイク５のオン又は指向性マイク６のオンの場合にオン状態にあるマイクからの音声信号をアンプ１２に出力する。
【００２２】
アンプ１２は、電池２１からの電力の供給を受けて動作し、マイク制御部１１からの音声信号を増幅して、右フレームに設けられたスピーカー８ａと左フレームに設けられたスピーカー８ｂに出力する。
【００２３】
センター制御部１３にはタッチセンサー７ａ，７ｂが接続される。タッチセンサー７ａは、所定時間、例えば３秒間タッチされることにより、オン信号をセンサー制御部１３に出力する。センター制御部１３は、タッチセンサー７ａからのオン信号に基づきマイク制御部１１に対して指向性マイク６をオンさせるためのオン制御信号を出力する。
【００２４】
タッチセンサー７ａは、再度、所定時間、例えば３秒間タッチされることにより、オフ信号をセンサー制御部１３に出力する。センター制御部１３は、タッチセンサー７ａからのオフ信号に基づきマイク制御部１１に対して指向性マイク６をオフさせるためのオフ制御信号を出力する。
【００２５】
タッチセンサー７ｂは、所定時間、例えば３秒間タッチされることにより、オン信号をセンサー制御部１３に出力する。センター制御部１３は、タッチセンサー７ｂからのオン信号に基づきマイク制御部１１に対して無指向性マイク５をオンさせるためのオン制御信号を出力する。
【００２６】
タッチセンサー７ｂは、再度、所定時間、例えば３秒間タッチされることにより、オフ信号をセンサー制御部１３に出力する。センター制御部１３は、タッチセンサー７ｂからのオフ信号に基づきマイク制御部１１に対して無指向性マイク５をオフさせるためのオフ制御信号を出力する。
【００２７】
このように実施例１に係る眼鏡型補聴器によれば、図１（ｂ）に示すように、スピーカー８ａ，８ｂを左フレームと右フレームとのそれぞれに設け、右フレームに設けられたタッチセンサー７ａを所定時間、例えば、３秒間タッチすると、オン信号がセンサー制御部１３に出力される。このため、マイク制御部１１は、センサー制御部１３からのオン信号に基づき、指向性マイク６をオンさせて音声信号をスピーカー８ａ，８ｂに出力させる。従って、難聴者や高齢者は、簡単な操作で会話している人の音声を聞くことができる。
【００２８】
また、指向性マイク６を眼鏡ブリッジ３に設けたので、見ている相手の音声だけを指向性マイク６が集音するから、雑音が小さくなり、見ている相手の音声を正確に聞き取ることができる。
【００２９】
また、タッチセンサー７ａの画面を手でスライドすると、センサー制御部１３は、タッチセンサー７ａをスライドするスライド量に応じてスライド量信号を音変調部１４に出力する。音変調部１４は、センサー制御部１３からのスライド量信号に応じて音の変調度を変化させてアンプ１２を介してスピーカー８ａ，８ｂに出力する。これにより、タッチセンサー７ａをスライドするスライド量に応じてスピーカー８ａ，８ｂの音量を調整することができる。
【００３０】
なお、タッチセンサー７ａをスライドする代わりに、タッチセンサー７ａをタッチするタッチ回数に応じてスピーカー８ａ，８ｂの音量を調整してもよい。
【００３１】
また、タッチセンサー７ｂの画面を手でスライドすると、センサー制御部１３は、タッチセンサー７ｂをスライドするスライド量に応じてスライド量信号をマイク制御部１１に出力する。マイク制御部１１は、センサー制御部１３からのスライド量信号に応じて指向性マイク６の指向性を調整することができる。
【００３２】
なお、タッチセンサー７ｂをスライドする代わりに、タッチセンサー７ｂをタッチするタッチ回数に応じて指向性マイクの指向性を調整してもよい。
【００３３】
また、老人性難聴者（耳が遠い人）は、高音域（４ｋＨｚ〜８ｋＨｚ）が聞こえにくいため、言葉を正確に聞き取ることができない。しかし、低音域は正常に聞くことができる。このため、アンプ１２内に設けられた帯域フィルタ（ＢＰＦ）１２ａは、マイク制御部１１から送られてくる音声信号に含まれる周波数の内の４ｋＨｚ〜８ｋＨｚを通過させて４ｋＨｚ〜８ｋＨｚの音声信号をアンプ１２で増幅して、その他の周波数帯の音声信号は遮断させる。増幅された音声をスピーカー８ａ，８ｂに出力し、スピーカー８ａ，８ｂから耳穴に向けて音声を出力する。従って、老人性難聴者は、高音域（４ｋＨｚ〜８ｋＨｚ）を正確に聞くことができる。
【００３４】
さらに、第一制御基板１０には、低音障害型感音難聴が特に聞き取りにくい１２５Ｈｚから５００Ｈｚの低い音を聞こえやすくスピーカーに出力する帯域フィルタを有するようにしてもよい。
【実施例２】
【００３５】
図４及び図５は、本発明の実施例２に係る眼鏡型補聴器のフレームに設けられた構成を示す図である。図４に示すように、左フレーム４ｂの内の眼鏡リム３に最も近いフレーム部分に加速度センサー１７が設けられている。この加速度センサー１７は、難聴者が耳を傾けたときの加速度を検出し、検出された加速度信号をセンサー制御部１３に出力する。
【００３６】
センサー制御部１３は、加速度センサー１７からの加速度信号を音変調部１４に出力する。音変調部１４は、加速度信号の大きさに応じて、音の変調度を変化させてスピーカーに出力する。即ち、傾けた耳側のスピーカーの音量を自動的に大きくすることができるので、難聴者は音声を良く聞くことができる。
【００３７】
また、図４に示すように、左フレーム４ｂの内の耳の位置に対応するフレームにはボタン１５が設けられている。このボタン１５にはアーム１６の一端が連結され、アーム１６の他端にはスピーカー８が設けられている。図４は、アーム１６とスピーカー８とがフレーム４ｂから出た状態を示す。
【００３８】
なお、図４においては、左フレーム４ｂに加速度センサー１７、ボタン１５を設ける例を示したが、右フレーム４ａにも加速度センサー１７、ボタン１５が設けられているものとする。
【００３９】
図５に示すように、最初の状態では、アーム１６とスピーカー８とが右フレーム４ａに内蔵されている。難聴者がボタン１５を押すと、アーム１６とスピーカー８とがフレーム４ａから出て来て、スピーカー８が耳穴３０に収まる。
【００４０】
これにより、難聴者は、ボタン１５を押すのみで、スピーカー８が耳穴３０に収まるので、音が聞き取り易くなる。
【００４１】
本発明は、実施例１及び実施例２に係る眼鏡型補聴器に限定されるものではない。例えば、眼鏡型補聴器を付けたままで就寝してしまった場合に、自動的に指向性マイク６及び無指向性マイク５がオフになるようにしてもよい。この場合に、指向性マイク６及び無指向性マイク５とに所定時間以上、音声が入力されず、かつタッチセンサー７ａ，７ｂが所定時間以上操作されなかった場合には、マイク制御部１１は、指向性マイク６及び無指向性マイク５をオフさせるようにすればよい。
【００４２】
また、実施例１に係る眼鏡型補聴器と実施例２に係る眼鏡型補聴器とを組み合わせて用いても良い。このようすれば、実施例１に係る眼鏡型補聴器と実施例２に係る眼鏡型補聴器との効果が得られる。
【実施例３】
【００４３】
図６は、本発明の実施例３に係る眼鏡型補聴器の電源を投入する構成を示す図である。実施例３に係る眼鏡型補聴器は、図１に示す実施例１に係る眼鏡型補聴器の構成に、さらに、図６に示す構成を追加したものである。
【００４４】
図６（ａ）は、眼鏡型補聴器のフロント３１とテンプル３２（図１に示す左右フレーム４ａ，４ｂに対応）とのなす角度が７５度未満、図６（ｂ）は、フロント３１とテンプル３２とのなす角度が７５度、図６（ｃ）は、フロント３１とテンプル３２とのなす角度が９０度の状態を示す。図６（ａ）において、フロント３１とテンプル３２とを連結する丁番３３には電源スイッチ３４が取り付けられている。電源スイッチ３４は、機械式スイッチ、電気式スイッチ、電磁式スイッチ等である。
【００４５】
電源スイッチ３４は、図６（ｂ）、図６（ｃ）に示すように、フロントとテンプルとのなす角度が７５度以上になると、オンする。すると、図８の回路構成図に示すように、電源スイッチ３４からのスイッチオン信号がセンサー制御部１３に入力され、センサー制御部１３によりバッテリ部２０からなる電源が投入される。バッテリ部２０は、第一制御基板１０を動作させるための電源である。
【００４６】
一方、電源スイッチ３４は、図６（ａ）に示すように、フロントとテンプルとのなす角度が７５度未満になると、オフする。すると、電源スイッチ３４からのスイッチオフ信号がセンサー制御部１３に入力され、センサー制御部１３によりバッテリ部２０からなる電源が切断される。従って、眼鏡型補聴器を使用するときのみ、電源が投入されるので、消費電力を低減することができる。
【００４７】
なお、電源スイッチ３４がオンするフロント３１とテンプル３２とのなす角度は、７５度に限定されることなく、例えば、６０度やその他の任意の角度に設定することもできる。
【実施例４】
【００４８】
図７は、本発明の実施例４に係る眼鏡型補聴器の電源を投入する構成を示す図である。実施例４に係る眼鏡型補聴器は、図１に示す実施例１に係る眼鏡型補聴器の構成に、さらに、図７に示す構成を追加したものである。
【００４９】
図７に示すように、左右のテンプル３２（図１に示す左右フレーム４ａ，４ｂに対応）の内の耳の位置に対応するテンプル部分には、静電気センサー３５が設けられている。この静電気センサー３５は、人が眼鏡型補聴器を装着すると、人の静電容量を感知し、図８に示すように、静電容量感知信号をセンサー制御部１３に出力する。静電容量感知信号を入力したセンサー制御部１３は、バッテリ部２０からなる電源を投入する。
【００５０】
一方、静電気センサー３５は、人が眼鏡型補聴器を外すと、人の静電容量を感知しない。このため、センサー制御部１３は、静電容量感知信号を入力しなくなった時から一定時間、例えば５秒程度経過後に電源を切断する。従って、眼鏡型補聴器を使用するときのみ、電源が投入されるので、消費電力を低減することができる。
【実施例５】
【００５１】
図９は、本発明の実施例５に係る眼鏡型補聴器の電源を投入する構成を示す図である。実施例５に係る眼鏡型補聴器は、図１に示す実施例１に係る眼鏡型補聴器の構成に、さらに、図９に示すようにテンプル３２（図１に示す左右フレーム４ａ，４ｂに対応）にマイク３６を追加したものである。
【００５２】
マイク３６は、所定の音圧を感知し、音圧感知信号をセンサー制御部１３に出力する。センサー制御部１３は、マイク３６から音圧感知信号が入力されたとき、バッテリ部２０からなる電源をスタンバイ状態から通常状態に切り替える。
【００５３】
マイク３６は、所定の音圧を感知しない場合には、マイク３６から音圧感知信号は、センサー制御部１３に出力されない。このため、センサー制御部１３は、バッテリ部２０からなる電源を、瞬時に通常状態からスタンバイ状態に切り替える。従って、会話している時など、所定の音圧を感知したときのみ、電源が投入されるので、消費電力を低減することができる。また、難聴者や高齢者は、電源を投入しなくても会話することができ、利便性を向上することができる。
【実施例６】
【００５４】
図１０は、本発明の実施例６に係る眼鏡型補聴器の構成を示す図である。実施例６に係る眼鏡型補聴器は、図１に示す実施例１に係る眼鏡型補聴器の構成に、さらに、図１０に示すようにテンプル３２（図１に示す左右フレーム４ａ，４ｂに対応）内で且つスピーカー８を取り囲む空洞部３７を形成している。空洞部３７は、スピーカー８の音を最適に出力するための空間からなる。また、空洞部３７から耳の位置に向けて複数の穴３８が形成されている。
【００５５】
このような構成によれば、空洞部３７によりスピーカー８の音が最適に出力され、複数の穴３８により、耳に向けて直進的に空洞部３７からの音を出力するので、音漏れを低減することができる。また、音エネルギーが分散しないため、小さい音でも聞こえやすく、省エネ効果がある。
【実施例７】
【００５６】
図１１は、本発明の実施例７に係る眼鏡型補聴器の構成を示す図である。実施例７に係る眼鏡型補聴器は、図１に示す実施例１に係る眼鏡型補聴器の構成に、さらに、図１１に示す構成を追加したものである。
【００５７】
図１１に示すように、左右のテンプル３２（図１に示す左右フレーム４ａ，４ｂに対応）の内の耳の位置に対応するテンプル部分に、マイク４０が設けられている。このマイク４０は、周囲の環境音を感知し、音感知信号をセンサー制御部１３に出力する。
【００５８】
センサー制御部１３は、マイク４０からの音感知信号に基づき、音感知信号の位相とは逆位相の音感知信号を生成し、生成された逆位相の音感知信号をスピーカー８に出力する。スピーカー８は、耳穴に向けて周囲の環境音に対する逆位相の音を放射する。即ち、逆位相の音が互いに打ち消し合い、耳の周囲だけ騒音がない状態になる。このため、難聴者や高齢者は、周囲の環境音に害されることなく、音を良く聞くことができる。
【符号の説明】
【００５９】
１  レンズ
２  眼鏡リム
３  眼鏡ブリッジ
４  眼鏡フレーム
５  無指向性マイク
６  指向性マイク
７ａ，７ｂ  タッチセンサー
８ａ，８ｂ  スピーカー
１０  第一制御基板
１１  マイク制御部
１２  アンプ
１２ａ  帯域フィルタ（ＢＰＦ）
１３  センサー制御部
１４  音変調部
１５  ボタン
２０  バッテリ部
２１  電池
２２  非接触充電制御部
３１  フロント
３２  テンプル
３３  丁番
３４  電源スイッチ
３５  静電気センサー
３６，４０  マイク
３７  空洞部
３８  穴
【図１】
0006514599.tif 000002
【図２】
0006514599.tif 000003
【図３】
0006514599.tif 000004
【図４】
0006514599.tif 000005
【図５】
0006514599.tif 000006
【図６】
0006514599.tif 000007
【図７】
0006514599.tif 000008
【図８】
0006514599.tif 000009
【図９】
0006514599.tif 000010
【図１０】
0006514599.tif 000011
【図１１】
0006514599.tif 000012